(57)【要約】【課題】高級感があり、かつリサイクル適性にも優れたレンズ付きフイルムユニットを提供する。【解決手段】レンズ付きフイルムユニット２の外装カバーである前カバー４と、後カバー５とを再生アルミニウムで形成する。前カバー４及び後カバー５には、適所に開口を形成し、間に収納した本体基部３のプラスチック製部品を外部に露呈させる。これにより、金属特有の色や肌触りを持った高級感のあるレンズ付きフイルムユニットを得ることができる。前カバー４及び後カバー５は、回収後に再生アルミニウムとして何度もリサイクルすることができるので、リサイクル適性も向上する。【選択図】        図１
2004361517.tif 000002
【特許請求の範囲】
【請求項１】
撮影機構が組み込まれ、フイルムパトローネが装填された本体基部と、この本体基部の前面を覆う前カバーと、本体基部の背面を覆う後カバーとからなるレンズ付きフイルムユニットにおいて、
前記前カバーと後カバーとのいずれか一方、又は両方を金属材料で形成したことを特徴とするレンズ付きフイルムユニット。
【請求項２】
前記金属材料は、アルミニウムであることを特徴とする請求項１記載のレンズ付きフイルムユニット。
【請求項３】
前記前カバー及び／又は後カバーは、その一部を屈曲させて本体基部に係止されることを特徴とする請求項１又は２記載のレンズ付きフイルムユニット。
【請求項４】
前記前カバー及び／又は後カバーの屈曲によって、本体基部を構成する複数の部品同士を係止させることを特徴とする請求項１乃至３いずれか記載のレンズ付きフイルムユニット。
【請求項５】
前記本体基部の正面から見た外周に、リブを立設したことを特徴とする請求項１乃至４いずれか記載のレンズ付きフイルムユニット。
【請求項６】
前記リブに、ストラップが取り付けられるストラップ取付部を設けたことを特徴とする請求項５記載のレンズ付きフイルムユニット。
【請求項７】
前記金属材料で形成された後カバーの内側に、撮影位置にある写真フイルムの背面を支持する圧板を一体に形成したことを特徴とする請求項１乃至６いずれか記載のレンズ付きフイルムユニット。
【請求項８】
前記金属材料で形成された後カバーの内側に、撮影位置にある写真フイルムの背面を支持する圧板を配置したことを特徴とする請求項１乃至６いずれか記載のレンズ付きフイルムユニット。
【発明の詳細な説明】
【０００１】
【発明の属する技術分野】
本発明は、レンズ付きフイルムユニットに関し、更に詳しくは、フイルムパトローネが装填された本体基部を前カバー及び後カバーで覆ったレンズ付きフイルムユニットに関するものである。
【０００２】
【従来の技術】
簡単な撮影機構が組み込まれ、製造時にフイルムパトローネが装填されたレンズ付きフイルムユニットが本出願人より製造販売されている。このレンズ付きフイルムユニットは、撮影レンズやシャッタ機構，フイルム巻き上げ機構等の撮影機構が組み込まれ、フイルムパトローネが装填されるパトローネ室及びフイルムロール室が設けられたプラスチック製の本体基部と、この本体基部の前面及び背面を覆うように取り付けられるプラスチック製の前カバー及び後カバーとから構成されている。
【０００３】
前カバーは、本体基部の前面側を覆うとともに、撮影レンズやストロボ発光部等の撮影機能部品を露呈させる開口が適所に形成されている。後カバーは、本体基部の背面側を覆って遮光するとともに、内壁面に形成された圧板部を用いて、本体基部に装填された写真フイルムの背面を支持する。これら前カバー及び後カバーは、一体に設けられた係合爪を用いて本体基部に着脱自在に取り付けられている。前カバー及び後カバーは、本体基部内を遮光するとともに、レンズ付きフイルムユニットのハンドリング性やデザイン性を向上させる外装部品としての機能も有している。
【０００４】
レンズ付きフイルムユニットは複数のメーカーから様々な種類が販売されているが、どのレンズ付きフイルムユニットも撮影機能や小型化、軽量化等に重点をおいているため、外観デザインに特徴のあるレンズ付きフイルムユニットは少なかった。特に、レンズ付きフイルムユニットのデザイン性に大きな影響を有する前カバー及び後カバーには、遮光性やリサイクル適性を考慮して黒色のプラスチックが用いられており、レンズ付きフイルムユニットの外観デザインを没個性化させていた。
【０００５】
レンズ付きフイルムユニットのデザイン性を向上させるために、透明なプラスチックで前カバーを形成したレンズ付きフイルムユニット（例えば、特許文献１参照）や、前カバーに塗装を施したり、金属粉を混入させたプラスチックで形成したレンズ付きフイルムユニット（例えば、特許文献２参照）などが発明されている。
【０００６】
【特許文献１】
特開平０７−０４３７９０号公報
【特許文献２】
特開２０００−０１０１７０号公報
【０００７】
【発明が解決しようとする課題】
しかしながら、特許文献１及び２記載のレンズ付きフイルムユニットは、前カバー及び後カバーの材質としてプラスチックを使用しているため、従来のレンズ付きフイルムユニットのデザインと代わり映えせず、安っぽいイメージを与えるものであった。そのため、従来のレンズ付きフイルムユニットとは異なるイメージで、高級感のあるデザインのレンズ付きフイルムユニットが求められている。
【０００８】
本発明は、上記問題点を解決するためのもので、外観デザインに特徴のあるレンズ付きフイルムユニットを提供することを目的とする。
【０００９】
【課題を解決するための手段】
上記問題点を解決するために、本発明のレンズ付きフイルムユニットは、前カバーと後カバーとのいずれか一方、又は両方を金属材料で形成したものである。これによれば、金属独特の表面色や肌触り、重量感等によって、従来のレンズ付きフイルムユニットとは全く異なる、高級感のある外観イメージのレンズ付きフイルムユニットを得ることができる。
【００１０】
また、金属材料として、アルミニウムを使用したので、レンズ付きフイルムユニットの重量が大幅に重くなることはない。更に、アルミニウムは、空き缶等のリサイクルが盛んであり、リサイクルによる性能劣化も少ないため、再生アルミニウムを原料に使用することができる。更に、アルミニウム製のカバーは、従来のプラスチック製の前カバー及び後カバーと同様に、レンズ付きフイルムユニットの回収後にリサイクルすることができるので、省資源化に貢献することができる。
【００１１】
また、前カバー及び後カバーは、その一部を屈曲させて本体基部に係止するようにしたので、前カバーと後カバーとの組み付けを簡単に行なうことができる。また、フイルムパトローネを取り出す際に屈曲部分が破壊されたり、遮光性を失うようにすれば、レンズ付きフイルムユニットの不正な再使用を防止することもできる。更に、前カバー及び後カバーを屈曲させた際の挟持力を利用して、本体基部を構成する複数の部品同士を係止させることもできる。
【００１２】
また、本体基部の正面から見た外周にリブを立設したので、本体基部及びレンズ付きフイルムユニット全体の剛性を高めることができる。更に、このリブを利用してストラップ取付部を設けたので、部品点数の増加させずにストラップを取り付けられるようにすることができる。
【００１３】
更に、金属材料製の後カバーの内側に、撮影位置にある写真フイルムの背面側を支持する圧板を一体に形成したものである。また、圧板は、後カバーとは異なる材質で別に形成し、後カバーの内側に配置してもよい。
【００１４】
【発明の実施の形態】
図１は、本発明を実施したレンズ付きフイルムユニットの前面側斜視図である。このレンズ付きフイルムユニット２は、大別すると、撮影機構が組み込まれ、フイルムパトローネが装填される本体基部３と、この本体基部３の前面側を覆う前カバー４と、本体基部３の背面側を覆う後カバー５とから構成されている。本体基部３は、バネ等を除くほとんどすべての部品がプラスチックで形成されている。また、前カバー４及び後カバー５は、空き缶等からリサイクルされた再生アルミニウムをプレス加工した金属製である。なお、前カバー４及び後カバー５と、本体基部３の構成部品とを識別しやすくするために、前カバー４及び後カバー５には、図中、ドット地のハッチングを施している。また、前カバー４の角部は、本体基部３の一部を図示するために破断しているだけであって、実際の前カバー４の角部から本体基部３が露呈されることはない。
【００１５】
レンズ付きフイルムユニット２の前面中央には、中央膨出部８が設けられている。この中央膨出部８は、プラスチックで形成されて本体基部３に取り付けられており、前カバー４に形成された開口１２から前方に突出されている。中央膨出部８は、全体として薄型化されたレンズ付きフイルムユニット２において、撮影レンズ１０の周辺に組み込まれたシャッタ機構等の撮影機構の組み込みスペースを確保し、かつ保護する機能を有している。また、撮影レンズ１０とファインダ対物側レンズ１１とを露呈させる開口９ａ，９ｂが設けられている。なお、この中央膨出部８は、再生アルミニウムを用いて前カバー４と一体に形成することもできる。
【００１６】
レンズ付きフイルムユニット２の前面側から見て、対物側レンズ１１の右方には、本体基部３を構成するストロボ発光部１３が配置されている。このストロボ発光部１３も、前カバー４に形成された開口１４から前方に向けて突出されている。ストロボ発光部１３の下方には、本体基部３に組み込まれたストロボ装置に充電を行なう充電レバー１７が設けられている。この充電レバー１７は、本体基部３の前面に形成され、前カバー４の開口１８から突出されたレバー用凹部１９内に回動自在に組み込まれている。充電レバー１７の内側には、本体基部３に設けられた充電スイッチが配置されている。充電レバー１７の回動によって充電スイッチがオンし、ストロボ装置で充電が開始される。
【００１７】
中央膨出部８の左方上部には、本体基部３に設けられたシャッタボタン２１が、前カバー４に形成された開口２２から突出されて配置されている。このシャッタボタン２１が上方から押下されると、本体基部３に組み込まれたシャッタ機構においてシャッタレリーズ動作が行なわれる。
【００１８】
本体基部３の中央膨出部８の左方には、フイルムパトローネが装填されるパトローネ室が設けられている。また、充電レバー１７の背後には、パトローネ室に装填されたフイルムパトローネから引き出された写真フイルムが、ロール状に巻かれた状態で収納されるフイルムロール室が設けられている。周知のように、レンズ付きフイルムユニット２では、１コマの撮影毎にフイルム巻上げ操作が行なわれ、撮影済みの写真フイルムがその都度パトローネ内に巻き上げられていく。
【００１９】
レンズ付きフイルムユニット２の上面には、本体基部３に設けられた撮影枚数表示板を視認できるようにする、撮影枚数表示窓２５が形成されている。この撮影枚数表示窓２５は、本体基部３に設けられた透明なプラスチックからなる窓部材が、前カバー４の上面に形成された開口２６内に嵌合されて構成されている。撮影枚数表示板は、撮影回数をカウントして表示する表示板であり、残り撮影枚数の確認に用いられる。
【００２０】
図２は、レンズ付きフイルムユニット２の背面側斜視図である。後カバー５において、ファインダ対物側レンズ１１に対面する位置には、本体基部３に形成されたプラスチック製で円形の背面側光学系突出部２９が、後カバー５の開口３０から突出されている。この突出部２９内には、ファインダ接眼側レンズ３１とランプ窓３２とが設けられている。なお、突出部２９は、後カバー５と一体に形成することもできる。
【００２１】
背面側光学系突出部２９の上方には、パイロットランプの光を視認できるようにするランプ窓３５が形成されている。このランプ窓３５は、本体基部３に設けられた透明なプラスチックからなる窓部材が、後カバー５の上面に形成された開口３６内に嵌合されて構成されている。パイロットランプは、充電が完了した時に点滅し、撮影者にストロボ充電が完了したことを知らせる。なお、背面側光学系突出部２９のランプ窓３２は、接眼側レンズ３１を覗きながらパイロットランプの光を視認できるようにするために設けられている。
【００２２】
レンズ付きフイルムユニット２を背面側から見て、背面側光学系突出部２９の右方には、本体基部３に形成され、後カバー５の切欠部３９から突出された巻上げ部４０が配置されている。巻上げ部４０には、レンズ付きフイルムユニット２の厚み方向で窪んだ凹部４１が形成されており、この凹部４１内に巻上げノブ４２が組み込まれている。巻上げノブ４２は、その回転中央に巻上げ軸が一体に形成されており、この巻上げ軸はパトローネ室内に装填されたパトローネのスプールに係合している。そのため、巻上げノブ４２を回転操作すると、同時にパトローネのスプールが回転し、撮影済みの写真フイルムがパトローネ内に巻き上げられるようになっている。
【００２３】
前面側から見た本体基部３の全周には、リブ４５が形成されている。このリブ４５は、前カバー４及び後カバー５によっては覆われず、外部に露呈されており、本体基部３だけでなく、レンズ付きフイルムユニット２全体の剛性の向上に効果がある。レンズ付きフイルムユニット２の側面部分のリブ４５には、開口からなるストラップ取付部４６が形成されている。そのため、部品点数を増加することなく、レンズ付きフイルムユニット２にストラップを取り付けることができる。
【００２４】
図３は、レンズ付きフイルムユニット２の正面図である。図４及び図５は、レンズ付きフイルムユニット２の正面図のＡ−Ａ断面及びＢ−Ｂ断面を表す断面図である。なお、図面の煩雑化を避けるため、前カバー４と後カバー５との間に収納される本体基部３の詳細な断面は省略している。前カバー４及び後カバー５は、皿形状に形成されて本体基部３の前面及び背面を覆っている。前カバー４及び後カバー５には、回収された空き缶等からリサイクルされた再生アルミニウムが使用されている。後カバー４の背面内側には、撮影位置にある写真フイルムの背面を支持する湾曲形状の圧板部５ａが一体に形成されている。
【００２５】
再生アルミニウムは、例えば、次のようにして再生される。回収された空き缶等が、異物が取り除かれて裁断される。その後、溶融されてアルミニウムの地金が形成され、この地金から再生アルミニウムの薄板が作られる。アルミニウムのリサイクルは、ボーキサイトから新規にアルミニウムを精錬する場合の３％程度のエネルギーで行なうことができるため、省エネルギー効果が非常に大きい。
【００２６】
アルミニウム製の前カバー４及び後カバー５は、例えば次のように形成される。幅の広い再生アルミニウムの薄板に、前カバー４及び後カバー５の表面の適所に配置されるように印刷が施される。その後、幅の広い再生アルミニウムから、印刷の施された部分が前カバー４及び後カバー５の展開形状で打ち抜かれる。この展開材料を、プレス金型で挟み込んでプレス加工することで、皿形状の前カバー４及び後カバー５が形成される。前述した圧板部５ａも、プレス加工によって一緒に形成されるため、後カバー５の背面には凹部５ｂが設けられる。薄板状態の再生アルミニウムに印刷を施してからプレス加工を行なうので、曲面形状の前カバー４及び後カバー５であっても、その表面のあらゆる位置に印刷を配置することができる。
【００２７】
上述した前カバー４及び後カバー５の打ち抜き加工時に、前カバー４及び後カバー５の端縁には、前カバー４及び後カバー５を本体基部３に取り付ける際に使用される、カシメ用の爪部４８，４９が複数個ずつ形成される。例えば、前カバー４の場合には、上面の端縁に２個、両側面の端縁に２個ずつ、下面の端縁に３個の爪部４８が形成されている。また、後カバー５は、上面の側縁に３個、一方の側面には１個、他方の側面には２個、下面には３個の爪部４９が形成されている。本体基部３のリブ４５の前面側及び背面側には、前カバー４及び後カバー５の爪部４８，４９の位置に対応して、カシメ用の凹部５０，５１が形成されている。
【００２８】
前カバー４及び後カバー５の本体基部３への取り付けは、次のようにして行なわれる。まず、本体基部３の前面に前カバー４を被せ、各爪部４８を本体基部３の凹部５０の内側に折り込んでいく。これにより、前カバー４は本体基部３の前面に固着される。また、後カバー５の本体基部３への取り付けは、本体基部３へのフイルムパトローネの装填後に行なわれる。この後カバー５の本体基部３への取り付けも、前カバー４の時と同様に爪部４９が本体基部３の凹部５１内に折り込まれることによって行なわれる。
【００２９】
上記再生アルミニウム製の前カバー４及び後カバー５は、レンズ付きフイルムユニット２の外装部品として使用するのに充分な精度を得ることができる。また、アルミニウム製の前カバー４及び後カバー５を使用することによって、金属特有の肌触りや色、重量感等をレンズ付きフイルムユニットに与えることができるため、従来よりも高級感のあるレンズ付きフイルムユニット２をユーザーに提供することができる。また、前カバー４及び後カバー５の表面に、空き缶等をリサイクルした再生アルミニウムを使用していることを明記しておけば、レンズ付きフイルムユニットだけでなく、空き缶等のリサイクル率の向上にも貢献することができる。
【００３０】
このレンズ付きフイルムユニット２から、撮影済みの写真フイルムを巻き取ったフイルムパトローネを取り出す際には、後カバー５の爪部４８を曲げ戻したり、切り取る等して本体基部３との係止を解除し、本体基部３から後カバー５を取り外さなくてはならない。爪部４８は小さく耐久性もないため、後カバー５を取り外す際の曲げ戻しによって折れてしまったり、充分なカシメ力が得られなくなる。そのため、フイルムパトローネを取り出した後のレンズ付きフイルムユニット２は、後カバー５による遮光性が損なわれるため、製造メーカー以外の回収業者による、レンズ付きフイルムユニットへのフイルムパトローネの詰め替えを防止することができる。
【００３１】
また、図６の断面図に示すように、例えば、缶詰の胴部と蓋部との固着のように、前カバー５５と後カバー５６との端縁５５ａ，５６ａを全周にわたってカシメ、本体基部５７を前カバー５５と後カバー５６との間に収納してもよい。この場合、フイルムパトローネの取り出し時には、缶切り器のような器具で前カバー５５又は後カバー５６を切り開ける必要がある。そのため、フイルムパトローネを取り出した後のレンズ付きフイルムユニット２は、再使用することができなくなる。
【００３２】
更に、本体基部３は、複数の部品が組み合わされて構成されているが、これらの構成部品同士の結合に、前カバーや後カバーのカシメ力を利用することもできる。例えば、図７の断面図に示すように、本体基部６０が部品６０ａ及び６０ｂを有している場合、部品３０ａと６０ｂとのそれぞれに係止爪等を設けて両者を結合させるのが一般的な結合方法である。しかし、例えば、部品６０ａと６０ｂとの当節部分の近傍で、一方の部品６０ｂの端部に突起６０ｃを形成し、前カバー６１の端縁６１ａを突起６０ｃに引っかけるように屈曲させれば、係止爪等を用いなくても前カバー６１をカシメた際の挟持力で部品６０ａと６０ｂとを結合させることができる。また、この結合方法によれば、フイルムパトローネを取り出すために前カバー６１の端部６１ａを曲げ戻すと、部品６０ａと６０ｂとが分解されて本体基部３の機能を果たせなくなるため、フイルムパトローネの詰め替え防止にも効果的である。
【００３３】
また、上述した第１の実施形態では、後カバー５に圧板部５ａを一体に形成したが、図８及び図９の断面図に示すように、後カバー５の内側に、プラスチック等で高精度に形成された圧板６３を配置してもよい。
【００３４】
なお、上記実施形態では、前カバー及び後カバー共に再生アルミニウムで形成したが、いずれか一方を再生アルミニウムで、他方をプラスチック等で形成してもよい。また、本発明は、１３５タイプのフイルムパトローネを使用するレンズ付きフイルムユニット、及びＡＰＳタイプのフイルムパトローネを使用するレンズ付きフイルムユニットの何れにも採用することができる。
【００３５】
【発明の効果】
以上説明したように、本発明のレンズ付きフイルムユニットは、前カバー及び後カバーを金属材料で形成したので、レンズ付きフイルムユニットのデザインに高級感を与えることができる。また、金属材料としてアルミニウムを使用したので、大幅な重量増加はない。また、回収後に再生アルミニウムとしてリサイクルすることもでき、省資源化に貢献することができる。
【００３６】
更に、前カバー及び後カバーの一部を屈曲させて本体基部に取り付けるようにしたので、組立適性が向上し、生産コストの低減にも資することができる。また、フイルムパトローネを取り出す際に屈曲部分が破壊されたり、遮光性を失うようにすることもできるので、レンズ付きフイルムユニットの不正な再使用を防止することができる。
【００３７】
また、前カバー又は後カバーの屈曲によって本体基部の複数の構成部品同士を結合させることができるので、レンズ付きフイルムユニットの組立適性を向上させることができる。
【００３８】
更に、本体基部の外周にリブを形成したので、本体基部及びレンズ付きフイルムユニットの剛性を向上させることができる。また、リブにストラップ取付部を設けたので、部品点数を増加することなくストラップを取り付けられるようにすることができる。
【００３９】
また、後カバーの内側に、撮影位置にある写真フイルムの背面側を支持する圧板を配置したので、写真フイルムに擦り傷等が生じるのを防止することができる。
【図面の簡単な説明】
【図１】本発明を実施したレンズ付きフイルムユニットの前面側外観斜視図である。
【図２】レンズ付きフイルムユニットの背面側外観斜視図である。
【図３】レンズ付きフイルムユニットの正面図である。
【図４】レンズ付きフイルムユニットの水平方向断面図である。
【図５】レンズ付きフイルムユニットの垂直方向断面図である。
【図６】本発明の別の実施形態を用いたレンズ付きフイルムユニットの垂直方向断面図である。
【図７】本発明の更に別の実施形態を用いたレンズ付きフイルムユニットの垂直方向断面図である。
【図８】本発明の更にまた別の実施形態を用いたレンズ付きフイルムユニットの水平方向断面図である。
【図９】本発明の更にまた別の実施形態を用いたレンズ付きフイルムユニットの垂直方向断面図である。
【符号の説明】
２  レンズ付きフイルムユニット
３  本体基部
４  前カバー
５  後カバー
４８，４９  爪部
５０，５１  凹部
【図１】
2004361517.tif 000003
【図２】
2004361517.tif 000004
【図３】
2004361517.tif 000005
【図４】
2004361517.tif 000006
【図５】
2004361517.tif 000007
【図６】
2004361517.tif 000008
【図７】
2004361517.tif 000009
【図８】
2004361517.tif 000010
【図９】
2004361517.tif 000011